(57)【特許請求の範囲】
【請求項１】
機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、
前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板に形成される係合部に係脱する鉤状片と、前記基板に取付けられるシリンダ錠と、前記シリンダ錠の錠軸に固着され前記施錠杆を前記鉤片の解錠方向に摺動させるカム板とを備え、
前記鉤状片は前記基板に形成されるガイド長孔と施錠杆に形成される遊挿長孔とに嵌挿する軸ピンを介して連結されていて、
前記施錠杆を前記鉤片の解錠範囲を越して摺動操作させることにより前記鉤状片と前記係合部との係合が解除され前記機構板が開放されるようにしたことを特徴とするパチンコ機。
【請求項２】
機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、
前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板に形成される鉤状片に係脱する係止片と、前記基板に取付けられるシリンダ錠と、前記シリンダ錠の錠軸に固着され前記施錠杆を前記鉤片の解錠方向に摺動させるカム板とを備え、
前記係止片は前記基板に形成されるガイド長孔と施錠杆に形成される遊挿長孔とに嵌挿する軸ピンを介して連結されていて、
前記施錠杆を前記鉤片の解錠範囲を越して摺動操作させることにより前記係止片と前記鉤状片との係合が解除され前記機構板が開放されるようにしたことを特徴とするパチンコ機。
【請求項３】
機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、
前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板の自由端側に形成される係合部に係脱する鉤状片と、前記基板に取付けられるシリンダ錠と、前記シリンダ錠の錠軸に固着され前記施錠杆を前記鉤片の解錠方向に摺動させるカム板とを備え、
前記鉤片は前記施錠杆の解錠方向の摺動にのみ連動し、前記鉤状片は前記施錠杆を前記鉤片の解錠方向と反対方向に摺動操作させることにより連動して前記係合部との係合が解除され前記機構板が開放されるようにしたことを特徴とするパチンコ機。
【請求項４】
機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、
前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板の自由端側に形成される鉤状片に係脱する係止片と、前記基板に取付けられるシリンダ錠と、前記シリンダ錠の錠軸に固着され前記施錠杆を前記鉤片の解錠方向に摺動させるカム板とを備え、
前記鉤片は前記施錠杆の解錠方向の摺動にのみ連動し、前記係止片は前記施錠杆を前記鉤片の解錠方向と反対方向に摺動操作させることにより連動して前記鉤状片との係合が解除され前記機構板が開放されるようにしたことを特徴とするパチンコ機。
【発明の詳細な説明】
【技術分野】
【０００１】
本発明は、前面枠及び機構板を備えたパチンコ機に関し、特に前面枠を機枠に対して施錠する施錠装置を備えたパチンコ機に関する。
【背景技術】
【０００２】
従来のパチンコ機は、機枠の前面に前面枠が開閉自在に設けられ、前記前面枠の自由端を錠機構によって施錠し得るようにしている。そして、その錠機構は、固定板に摺動自在に設けられる可動板の上下に鉤片が設けられ、該可動板を錠の解錠操作により前記可動板を摺動させて解錠し、前面枠を開放するようにしている。また、前記前面枠の裏面側には球タンク等を備えた機構板が前面枠と同じ側の一端を軸支して開閉自在に設けられ、自由端を係止部材により固定するようにしている（例えば、特許文献１参照。）。
【０００３】
また、前面枠の前面に該前面枠と同じ側の一端を軸支したガラス扉枠が開閉自在に設けられ、該ガラス扉枠の自由端を錠機構によって施錠し得る施錠装置も開示されている（例えば、特許文献２参照。）。
【特許文献１】特開平７−２５５９２７号公報（図９）
【特許文献２】特開平１１−２０６９９９号公報
【発明の開示】
【発明が解決しようとする課題】
【０００４】
前記したように、従来のパチンコ機は機構板が前面枠及びガラス扉枠と同じ側を軸支して回動自在に装着され、しかも自由端を閉鎖固定する係止部が互いに近傍に位置しているにもかかわらず、それぞれの係止部を別途設けるようにしている。このため、当然のことながら部品点数が増えると共に、組立ての作業工程が煩雑なものとなっていた。
【課題を解決するための手段】
【０００５】
そこで、上記課題を解決するために、請求項１記載の発明は、機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板に形成される係合部に係脱する鉤状片と、前記基板に取付けられるシリンダ錠と、前記シリンダ錠の錠軸に固着され前記施錠杆を前記鉤片の解錠方向に摺動させるカム板とを備え、前記鉤状片は前記基板に形成されるガイド長孔と施錠杆に形成される遊挿長孔とに嵌挿する軸ピンを介して連結されていて、前記施錠杆を前記鉤片の解錠範囲を越して摺動操作させることにより前記鉤状片と前記係合部との係合が解除され前記機構板が開放されるようにしたことを特徴とする。
【０００６】
請求項２記載の発明は、機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板に形成される鉤状片に係脱する係止片と、前記基板に取付けられるシリンダ錠と、前記シリンダ錠の錠軸に固着され前記施錠杆を前記鉤片の解錠方向に摺動させるカム板とを備え、前記係止片は前記基板に形成されるガイド長孔と施錠杆に形成される遊挿長孔とに嵌挿する軸ピンを介して連結されていて、前記施錠杆を前記鉤片の解錠範囲を越して摺動操作させることにより前記係止片と前記鉤状片との係合が解除され前記機構板が開放されるようにしたことを特徴とする。
【０００７】
請求項３記載の発明は、機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板の自由端側に形成される係合部に係脱する鉤状片と、前記基板に取付けられるシリンダ錠と、前記シリンダ錠の錠軸に固着され前記施錠杆を前記鉤片の解錠方向に摺動させるカム板とを備え、前記鉤片は前記施錠杆の解錠方向の摺動にのみ連動し、前記鉤状片は前記施錠杆を前記鉤片の解錠方向と反対方向に摺動操作させることにより連動して前記係合部との係合が解除され前記機構板が開放されるようにしたことを特徴とする。
【０００８】
請求項４記載の発明は、機枠の前面に開閉自在に軸支した前面枠と、前記前面枠を機枠に対して閉止状態に係止する施錠装置と、前記前面枠の裏面に該前面枠と同側を開閉自在に軸支した機構板とを備えたパチンコ機であって、前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板の自由端側に形成される鉤状片に係脱する係止片と、前記基板に取付けられるシリンダ錠と、前記シリンダ錠の錠軸に固着され前記施錠杆を前記鉤片の解錠方向に摺動させるカム板とを備え、前記鉤片は前記施錠杆の解錠方向の摺動にのみ連動し、前記係止片は前記施錠杆を前記鉤片の解錠方向と反対方向に摺動操作させることにより連動して前記鉤状片との係合が解除され前記機構板が開放されるようにしたことを特徴とする。
【００１２】
前記鉤状片を複数設けるのが好ましく、個々に鉤状片の解除操作をしなくても、鉤状片を連結した施錠杆，作動杆，可動杆を操作するだけで複数の鉤状片を同時に作用させて機構板を開放させることができ、操作効率がよくなる。
【００１３】
前記鉤部材は、一端を作動杆に形成した長孔に軸ピンを介して設けるのが好ましく、常態で作動杆の操作力がガラス扉枠の解錠方向の一方向に伝達するように軸ピンを長孔の一端に当接させるのがよい。
【００１４】
前記鉤部材は、前記基板に傾動可能に軸支されると共に一端を作動杆に形成した長孔に軸ピンを介して設けるのが好ましい。また、作動杆に該作動杆の摺動により前記鉤部材の一端に係止して該鉤部材を解錠方向に傾動させる係止部を設けるようにしてもよい。
【００１５】
前記鉤状片は、前記基板に傾動可能に軸支されると共に一端を作動杆に形成した長孔に軸ピンを介して遊挿され、前記作動杆を鉤部材の解錠方向と反対方向に摺動することにより傾動して、前記係合部との係合を解除するようにするのが好ましい。
【００１６】
また、機枠の前面側に開閉自在に軸支したガラス扉枠と、前記ガラス扉枠を機枠に対して閉止状態に係止する施錠装置と、前記ガラス扉枠と同側を開閉自在に軸支した機構板とを備えたパチンコ機であって、前記施錠装置は、前記ガラス扉枠の自由端側に固設される基板と、前記基板に沿って摺動自在に設けられる作動杆と、前記作動杆に連結され前記ガラス扉枠に設けられる係止部に係脱する鉤部材と、前記作動杆に連結され前記機構板の自由端側に形成される係合部に係脱する鉤状片と、鍵により解錠操作するシリンダ錠と、前記シリンダ錠の錠軸に固着され前記作動杆を前記鉤部材の解錠方向に摺動させるカム板とを備え、前記鉤部材は前記作動杆の解錠方向の移動にのみ連動し、前記鉤状片は前記作動杆を前記ガラス扉枠の解錠時と反対方向に摺動操作することにより連動して前記係合部との係合が解除され前記機構板が開放されるようにしてもよい。
【００１７】
機枠の前面に開閉自在に軸支した前面枠と、前記前面枠を機枠に対して閉止状態に係止する施錠装置と、前記前面枠と同側を開閉自在に軸支した機構板とを備えたパチンコ機であって、前記施錠装置は、前記前面枠の自由端側に位置して機枠に固設される基板と、前記基板に沿って摺動自在に設けられる施錠杆と、前記施錠杆に連結され前記前面枠に設けられた係止部に係脱する鉤片と、前記施錠杆に連結され前記機構板の自由端側に形成される係合部に係脱する鉤状片と、鍵により解錠されるシリンダ錠と、前記シリンダ錠の錠軸に固着され前記施錠杆を前記鉤片の解錠方向に摺動させるカム板とを備え、前記鉤状片は前記施錠杆を前記鉤片の解錠範囲を越して摺動操作させることにより連動して、前記係合部との係合が解除され前記機構板が開放されるようにしてもよい。さらに、前記施錠装置にガラス扉枠を施錠する施錠具を設けるようにしてもよい。このとき、鍵によりシリンダ錠を解錠操作してガラス扉枠が解錠され、さらに同一方向に解錠操作すると前面枠が解錠されるようにするのが好ましい。そして、ガラス扉枠及び前面枠を開放した状態で施錠杆を摺動操作すると、前記係合部との係合が解除され前記機構板が開放される。
【００１８】
前記機構板を開閉自在に軸支するようにしたが、施錠装置の反対側縁にも鉤状片を配設し、施錠装置の鉤状片と他方に設けた鉤状片とにより機構板を着脱自在に設けるようにしてもよい。そして、機枠の前面に開閉自在に軸支した前面枠と、前記前面枠を機枠に対して閉止状態に係止する施錠装置と、前記前面枠の裏面に着脱自在に設けられる機構板とを備えたパチンコ機であって、前記施錠装置は、前記前面枠の自由端の裏面側に固設される基板と、前記基板に沿って摺動自在に設けられる施錠杆と、前記施錠杆に連結され前記機枠に設けられた係止部に係脱する鉤片と、前記施錠杆に連結され前記機構板に形成される係合部に係脱する鉤状片と、前記基板に取付けられるシリンダ錠と、前記シリンダ錠の錠軸に固着され前記施錠杆を前記鉤片の解錠方向に摺動させるカム板とを備え、前記鉤状片は前記施錠杆を前記鉤片の解錠範囲を越して摺動操作させることにより連動して前記係合部との係合が解除されるようにするのが好ましい。また、鉤状片は連結杆に一体に設けても、別体に設けて回動式としてもよい。
【００１９】
また、機枠の前面に開閉自在に軸支した前面枠と、前記前面枠の前面に開閉自在に軸支したガラス扉枠と、前記ガラス扉枠を前面枠に対して閉止状態に保つ共に前面枠を機枠に対して閉止状態に係止する施錠装置と、前記前面枠の裏面に着脱自在に設けられる機構板とを備えたパチンコ機であって、前記施錠装置は、前記前面枠の自由端の裏面側に固設される基板と、前記基板に沿って摺動自在に設けられる可動杆と、前記可動杆に連結され前記機枠に設けられる係止部に係脱する鉤片と、前記可動杆に連結され前記ガラス扉枠に設けられる係止部に係脱する鉤部材と、前記可動杆に連結され前記機構板に形成される係合部に係脱する鉤状片と、前記基板に取付けられるシリンダ錠と、前記シリンダ錠の錠軸に固着され前記可動杆を前記鉤片及び鉤部材の解錠方向に摺動させるカム板とを備え、前記鉤状片は前記可動杆を前記鉤部材の解錠方向と反対方向であり前記鉤片の解錠範囲を越して摺動操作させることにより連動して前記係合部との係合が解除されるようにしてもよい。このとき、機構板の閉鎖状態を支持する支持手段を設けるのが好ましく、装着時に該支持手段に機構板を支持させて鉤状片と係合部を係合させるのがよい。また、前記施錠装置と反対側の固定手段は、摺動又は回動自在に設けられる鉤状片と係合部との係合により固定係止される。
【発明の効果】
【００２０】
本発明のパチンコ機は、前面枠を機枠に施錠する施錠装置に、機構板の自由端を係脱する係止手段を設けるようにすることにより、部品点数を減らしてコストの低減化を図り、延いては組立て作業の容易化を図ることができる。
【発明を実施するための最良の形態】
【００２１】
部品点数を減らしてコストの低減化を図り、延いては組立て作業の容易化を図るという目的を、前面枠の自由端の裏面側に固設される基板に沿って摺動自在に設けられ、機枠に設けられた係止部に係脱する上下一対の鉤片が設けられる施錠杆に、機構板の自由端側に形成される係合部に係脱する鉤状片を連結し、前記施錠杆を前記鉤片の解錠範囲を越して摺動操作させることにより前記鉤状片が連動して前記係合部との係合が解除され前記機構板が開放されるようにした。
【実施例１】
【００２２】
以下に、本発明に係るパチンコ機の実施例を、図面を参照しつつ説明する。図１はパチンコ機の正面図、図２はパチンコ機の裏面図、図３は前面枠及び機構板を開放した状態のパチンコ機の斜視図である。図において１はパチンコ機の機枠、２は機枠１の前面に上下一対のヒンジ機構３ａ，３ｂにより開閉自在に設けられる前面枠であり、開放側は施錠装置４により施錠される。前記前面枠２の裏面には取付枠５を介して遊技盤６が着脱自在に取付けられており、前面枠２の前面にはガラス扉枠７及び前板８が上下ヒンジにより開閉自在に装着され、自由端を前記施錠装置４及び施錠具で前面枠２に対して施錠するようにしている。前記前板８の前面に打球供給用の上部球受皿９が取付けられている。また、前面枠２の下部には上部球受皿９から溢出するパチンコ球を貯留する下部球受皿１０及びパチンコ球の弾発力を調節する操作ハンドル１１が設けられている。なお、本実施例では図上前面枠２及び取付枠５を、合成樹脂により一体に形成されているようにしたが、前面枠２と取付枠５とをそれぞれ別体に形成するようにしたものであっても、一部又は全部を金属の折曲により形成するようにしたものであってもよい。
【００２３】
前記機枠１は、図３に示すように上下左右の枠板により矩形に枠組され、その下部前面に補強用の腰板１ａが横設されており、前面枠２を閉じた状態で該腰板１ａの上端面と前面枠２の下端面とが重合するように構成されている。そして、機枠１の右枠板１ｂ内側面の上下位置には前面枠２を閉止状態に係止する係止部としての受金具１２，１２が取付けられている。
【００２４】
前記遊技盤６は、図４に示すようにほぼ方形状に形成され、前面に遊技球を案内するガイドレール２２により遊技領域６ａがほぼ円形に形成され、該遊技領域６ａに一般入賞口２３や可変表示装置２４の図柄を変動させるチューリップタイプの始動入賞口２５、また可変表示装置２４の予め設定された図柄の組合せにより開放する大入賞口２７等が設けられている。なお、大入賞口２７は、取付板に形成した横長の開口に開閉扉２７ａを前後方向に開閉自在に設け、電気的駆動源（図示せず）により開閉扉２７ａを開閉する周知構造のものである。
【００２５】
前記取付枠５は、図４に示すように遊技盤６の下端を支持する下部側枠５ｂと、遊技盤６の上部及び左右両側をそれぞれ支持する上部側枠５ａ及び左右側枠５ｃ，５ｄとにより額縁状に形成されており、遊技盤６が取付けられる設置領域３０が前後方向に開放して形成されている。そして、左右側枠５ｃ，５ｄの裏面内側縁に内方に向う短幅の位置決め突条３１が形成され、該位置決め突条３１の前面側にて遊技盤６の裏面側が位置規制されて、前記遊技盤６の前面位置が前記取付枠５の下側枠５ｂの前面位置に正確に一致するように構成されている。また、下側枠５ｂの前面には前記ガイドレール２２に連通する発射レール３２及びファール球樋３３が設けられている。なお、前記ファール球樋３３は、図上取付枠５と一体に設けられているが、別体に形成してビス着等により取付枠５に固着するようにしてもよい。また、前記取付枠５の開口周縁であり上下側枠５ａ，５ｂ及び左右側枠５ｃ，５ｄの適宜位置に、遊技盤６を設置領域３０に固定させる係止部材３５が着脱回動自在に設けられるために、前記係止部材３５の軸部３６が支持される設置部として、設置領域３０側の一端が開放する設置溝３７が形成されている。具体的には、下側枠５ｂ及び左右側枠５ｃ，５ｄの設置溝３７は、設置領域３０に向って斜め上方に開放するように形成され、上側枠５ａの設置溝３７は一端が下方で開放した円弧状に形成されている。なお、前記設置溝３７の開放端は、図５に示すように前記軸部３６よりも僅かに縮径してＣ字状に形成され、係止部材３５が簡単に外れないようにしている。
【００２６】
前記係止部材３５は、図５に示すように細径軸部３６の両端に遊技盤６の前面及び後面に係止する前後挟着片３７，３８が、ほぼ遊技盤６の厚みを隔てて相対位置に半径方向に平行に延出して設けられ、操作部として手で係止部材３５を操作する操作片３９，４０が設けられている。なお、前記挟着片３７，３８は、図上ほぼ長円形状としたがこの形状に限定されるものではなく、扇状であってもよく、このことからも操作角度は必ずしも９０°に限定されるものではない。前記係止部材３５の取付けは、前記設置溝３７に軸部３６を開放端から押し込み嵌挿することにより、該係止部材３５が取付枠５に装着される遊技盤６面に対して垂直な回動軸を中心として回動自在に取付けられ、前記挟着片３７，３８が遊技盤６の盤面に沿って回動する。なお、設置部は溝状のものに限られることなく軸部３６を両端で支持するようにしてもよい。そして、操作片３９，４０を操作して、軸部３６を支点に回動させることにより、前記前後挟着片３７，３８が遊技盤６の前面及び後面に沿って回動し、遊技盤６の前面及び後面に圧接係止させることができるようになっている。なお、係止部材３５は、前記実施例に限定されるものではなく、前記発射レール３２及びファール球樋３３の一部を可動自在に設けて、その一部を可動することにより遊技盤６を固定するようにしてもよい。
【００２７】
また、前記前面枠２の裏面には、遊技盤６のほぼ全体を覆うように、合成樹脂製の機構板４２が前記前面枠２と同側をヒンジ具４３により軸支して着脱開閉自在に装着されている。そして、前記遊技盤６の裏面と相対する位置に開口窓部４４が開設され、該開口窓部４４を境に上下に分割形成され、それぞれ独立して開閉できるようにしている。前記開口窓部４４の下方の下部機構板には、平坦面として形成された板状部に球払出制御基板４５及び大型の基板ボックス４６が設けられ、該基板ボックス４６にはパチンコ機全体の遊技動作を制御する遊技制御基板が収納されている。
【００２８】
また、開口窓部４４の上部にはパチンコ球を貯留する球タンク４８が設けられており、該球タンク４８の下方には球払出装置４９に該球タンク４８のパチンコ球を整列して導く供給樋５０が設けられている。該供給樋５０は前記開口窓４４の上方に位置する傾斜樋５０ａと該開口窓４４の側方に位置し供給通路が蛇行する屈曲樋５０ｂとで構成される。そして、前記屈曲樋５０ｂと球払出装置４９は、共に後方へ立上がるように設けられている。また、前記球払出装置４９の下方に位置して、該球払出装置４９から払出されたパチンコ球を前面枠２の前面の上部球受皿９に導く球排出樋５１と、該上部球受皿９にパチンコ球が充満したとき、その余剰球を下部球受皿１０に導く余剰球通路５２が設けられている。そして、自由端側に突出するように固定係止部５３が設けられ、該固定係止部５３に後述する鉤状片５４が係止する係合部としての係合孔５５が開設されている。６０は屈曲樋５０ｂの上方に位置して設けられる電源ターミナルボックスである。
【００２９】
前記ヒンジ具４３は、図６に示すように軸ピン５６を有した上下可動ヒンジ部５７が連結部材５８により一体に形成され、ヒンジ具４３の軸ピン５６を、取付枠５にビス着された固定ヒンジ部５９の軸孔に挿通することにより、該機構板４２を遊技盤６の裏側に開閉可能に装着するようにしている。前記連結部材５８は、図６及び図７に示すように断面コ字状に形成され、前記電源ターミナルボックス６０等からの配線Ｈを収納する配線収納部６１として、開口部に蓋部材６２が開閉自在に装着されている。そして、連結部材５８の一側壁は、前記屈曲樋５０ｂ及び球払出装置４９の側面に当接するように設けられ、該側面をガードすると共に前記屈曲樋５０ｂ及び球払出装置４９の側面を支持して側方への倒れを防止するように機能している。なお、前記上下固定ヒンジ部５９も同様に一体に連結部材によって連結するようにしてもよく、ヒンジ具４３の位置決め及び取付けを容易にすることができる。また、屈曲樋５０ｂ又は球払出装置４９に設けられるアース用の鉄板と前記連結部材５８とを接触させて静電気を放電させるようにしてもよく、アース線を配線する煩わしさはない。さらに、球払出装置４９の電気的駆動源としてのソレノイド又はモータを、前記連結部材５８に接触させて放熱させるようにして、駆動効率を高めるようにしてもよい。
【００３０】
前記施錠装置４は、図８及び図９に示すように前面枠２の自由端の裏面に固設されるＬ字状の基板６５と、前記基板６５の長手方向に沿って摺動自在に設けられ前面枠２を開閉するための施錠杆６６と、前記基板６５の長手方向に沿って摺動自在に設けられガラス扉枠７を開閉するための作動杆６７と、前記基板６５に取付けられるシリンダ錠６８と、前記シリンダ錠６８の錠軸６８ａに固着され前記施錠杆６６及び作動杆６７の摺動方向に操作力を伝達し摺動させるカム板６９と、前記機構板４２の係合孔５５に係脱する鉤状片５４と、前記施錠杆６６又は作動杆６７を一方向に付勢する弾性部材７０，９０とで構成されている。前記施錠杆６６は、長板状の上下部に機枠１に設けられる受金具１２に係止する上下一対の下向き鉤片７１，７１を一体に形成し、前記基板６５と施錠杆６６との間に弾性部材としてのスプリング７０を設け、前記施錠杆６６を常に上下鉤片７１，７１の施錠方向である下方へ付勢している。７２はカム板６９が係合する係止段部であり、７３は施錠杆６６を手で操作する操作部である。前記上下鉤片７１，７１は、受金具１２との係合時に係合し易くするガイド傾斜面を設けた三角形状の先端部の後端に係合凹部を下向きとしたフック状に形成される。なお、前記鉤片７１，７１は、施錠杆６６に一体に設けることなく、別体に形成してスポット溶接等により施錠杆６６に一体的に固着するようにしてもよい。また、前記作動杆６７は、図９に示すように帯状金属の上下に位置して、ガラス扉枠７の裏面に開口して設けられる係止部としての係止孔７５に係止する上向き鉤部７６が形成され、弾性部材としてのスプリング９０を介して摺動自在に設けられ、前記カム板６９が係合する凹欠係止部８１が形成されている。７７は作動杆６７を手で操作する操作レバーである。前記シリンダ錠６８は、基板６５に開設した透孔に挿通しフランジ部６８ｂをビス着して固定され、前記フランジ部６８ｂにカム板６９の回動を規制する規制手段としてストッパ７８を突設している。そして、前記カム板６９は、前記施錠杆６６の係止段部７２に係止する前面枠解錠爪７９と前記作動杆６７の凹欠係止部８１に係止するガラス扉枠解錠爪８０を有し、鍵Ｋの操作により操作力を施錠杆６６又は作動杆６７に伝達して、鉤片７１又は鉤部７６を解錠方向に摺動させる。前記鉤状片５４は前記基板６５に形成されるガイド長孔８２と施錠杆６６に形成される遊挿長孔８３とにスプリング２０により鉤片７１と同一方向に付勢して、軸ピンとしての頭付ピン８４を介して摺動自在に設けられ、常態で前記ガイド長孔８２の下端に前記頭付ピン８４が当接すると共に前記遊挿長孔８３の上端に該頭付ピン８４が当接するように設けられている。そして、前記施錠杆６６を摺動操作することにより前記鉤状片５４と係合孔５５との係合を解除して機構板４２を開放し得るようにしている。なお、実施例において施錠杆６６を施錠方向に付勢するスプリング７０と作動杆６７を施錠方向に付勢するスプリング９０とを別途設けるようにしたが、施錠杆６６及び作動杆６７をそれぞれ施錠方向と反対方向への移動を規制する阻止片を基板６５に設け、施錠杆６６及び作動杆６７を互いに施錠方向に付勢するように、スプリング等の弾性部材の一端を施錠杆６６に固着し他端を作動杆６７に固着するようにして、１つの弾性部材を共有させて部品点数を減らすことも可能である。また、常態において、前記スプリング７０によって、鉤状片５４も同一方向に付勢されているため、スプリング２０を取外してもよい。
【００３１】
次に、上記構成の施錠装置４の前面枠２及びガラス扉枠７の施錠作用について説明する。先ず、ガラス扉枠７を閉鎖施錠するには、ガラス扉枠７の自由端を前面枠２側に押すと、該ガラス扉枠７の係止孔７５が鉤部７６の傾斜部に当接して、スプリング９０の付勢に抗して作動杆６７を下動させて、前記鉤部７６がスプリング９０の復帰弾性により係止孔７５に係合することで、図１２に示すように該ガラス扉枠７が前面枠２に対して確実に閉鎖状態を保持される。また、前面枠２を閉鎖施錠するには、前面枠２の自由端を機枠１側に押すと、前記上下鉤片７１，７１が前記機枠１の受金具１２，１２に当接して、スプリング７０の付勢に抗して施錠杆６６を上動させて、前記鉤状片７１，７１がスプリング７０の復帰弾性により受金具１２，１２に係合することで、図１３に示すように前面枠２の開放側が機枠１にほぼ密着状に閉塞保持される。
【００３２】
次に、前記施錠装置４の解錠操作について説明する。前面枠２を解錠するには、鍵Ｋの解錠操作によりカム板６９を図１１（イ）矢印方向に回動させると、前面枠解錠爪７９が施錠杆６６の段状係止部７２に係止して、カム板６９の操作力をスプリング７０の付勢に抗して該施錠杆６６に伝達して上下鉤片７１，７１を上方に摺動させる。すると、図１３鎖線に示すように上下鉤片７１，７１と前記受金具１２，１２との係合が解除されて、前面枠２を簡単に開放させることができる。このとき、カム板６９はストッパ７８に当接してそれ以上の回動が阻止され、施錠杆６６は鉤片７１の解錠範囲つまり遊挿長孔８３の範囲内を上動するだけであり、遊挿長孔８３の下端で頭付ピン８４を上動させて、鉤状片５４を上動させることはなく、鉤状片５４と係止孔５５との係合が解除して無用に機構板４２を開放させることはない。また、ガラス扉枠７を解錠操作するには、鍵Ｋの解錠操作によりカム板６９を図１１（ロ）矢印方向（前記前面枠２の解錠方向と反対方向）に回動させると、ガラス扉枠解錠爪８０が作動杆６７の凹欠係止部８１に係止して、カム板６９の操作力をスプリング９０の付勢に抗して該作動杆６７に伝達して鉤部７６を下方に摺動させる。すると、図１２鎖線に示すように鉤部７６と係止孔７５との係合が解除されて、ガラス扉枠７を簡単に開放することができる。
【００３３】
次に、機構板４２の施錠操作について説明する。機構板４２がヒンジ具４３により開閉自在に装着された状態で、機構板４２を遊技盤６に密着させるように自由端側を閉鎖すると、係合孔５５に下向き鉤状片５４の先端傾斜辺が当接し、さらに機構板４２を押付けると、スプリング２０，７０の付勢に抗して前記傾斜辺により鉤状片５４がガイド長孔８２に沿って上動する。このとき、頭付ピン８４が遊挿長孔８３の上端に位置していることから施錠杆６６も同時に上動する。しかし、機構板４２の開閉は、図１４に示すように前面枠２を開放した状態で行うため、施錠杆６６が上動することにより鉤片７１が上動しても何等問題となることはない。そして、機構板４２が遊技盤６に密着状態になると、鉤状片５４がスプリング２０，７０の復帰弾性により係合孔５５に係合して機構板４２が遊技機６の裏面に密着固定される。
【００３４】
また、前記機構板４２を開放させるには、前面枠２を開放した状態で施錠杆６６の操作部７３を操作して、該施錠杆６６をスプリング２０，７０の付勢に抗して解錠方向（実施例において上方向）に摺動させると、図１４鎖線に示すように遊挿長孔８３の下端が頭付ピン８４に当接して鉤状片５４を上動させる。すると、鉤状片５４と係合孔５５との係合が上下同時に解除され、その状態で機構板４２を開放させることができる。
【００３５】
なお、機構板４２の閉鎖時に機構板４２の球タンク４８に貯留されるパチンコ球等の重量により、自由端側が下傾した状態で閉鎖することがあるため、図１５に示すように自由端側に突出する固定係止部５３の下端を支持するガイド片９８を基板６５に設けるようにしてもよく、同図鎖線で示すようにガイド片９８の傾斜面に固定係止部５３の下端が接触し、機構板４２の閉鎖動作に伴ってガイド片９８の傾斜面９８ａに沿って固定係止部５３が持ち上げられ、係合孔５５が確実に鉤状片５４と正規位置で係合させることができる。また、常態でもガイド片９８により固定係止部５３を正規位置で支持することにより、パチンコ球の重量によって機構板４２が鉤状片５４との係合を解除する方向に下がるのを防ぐことができ、安定した係止状態を保持することができる。
【実施例２】
【００３６】
図１６乃至図１９は施錠装置４の他の実施例を示し、前記実施例１と異なる点は前面枠２の解錠方向と機構板４２の係止解除方向を異ならせた点であるので、前記実施例と同じ構成要素には同一符号を付して説明する。基板６５に摺動自在に設けられる施錠杆６６に、下向きの鉤片７１ａの一端が施錠杆６６に形成された遊挿長孔８３ａに頭付ピン８４ａを介して移動自在に設けられ、弾性部材としてのスプリング７０ａよって前記遊挿長孔８３ａの下端で頭付ピン８４ａと当接するようにしている。そして、機構板４２の係合孔５５に係止する上向き鉤状片５４の一端が施錠杆６６に形成された遊挿長孔８３ｂに頭付ピン８４ｂを介して移動自在に設けられ、弾性部材としてのスプリング７０ｂよって前記遊挿長孔８３ｂの上端で頭付ピン８４ｂと当接するようにしている。
【００３７】
次に、上記構成の施錠装置４の作用について説明する。先ず前面枠２を閉鎖施錠するには、前面枠２の自由端を機枠１側に押すと前面枠２の鉤片７１ａが受金具１２に当接して、鉤片７１ａがスプリング７０ａの付勢に抗して遊挿長孔８３ａ内で上動して、前記鉤片７１がスプリング７０ａの復帰弾性により受金具１２に係合することで、該前面枠２が機枠１に対して確実に閉鎖保持される。また、機構板４２は、自由端を遊技盤６に密着させるようにすると、係合孔５５が鉤状片５４の先端に当接して、スプリング７０ｂの付勢に抗して遊挿長孔８３ｂ内で下動して、前記鉤状片５４がスプリング７０ｂの復帰弾性により係合孔５５に係合することで機構板４２が遊技盤６に密着状に固定される。
【００３８】
前記前面枠２を解錠操作するには、鍵Ｋの解錠操作によりカム板６９を回動させると、前面枠解錠爪７９が施錠杆６６の係止段部７２に係止して、カム板６９の操作力をスプリング７０ａの付勢に抗して施錠杆６６に伝達して、図１８鎖線に示すように該施錠杆６６を上方に摺動させる。そして、頭付ピン８４ａが遊挿長孔８３ａの下端に位置することにより鉤片７１が上動して受金具１２との係合が解除され、前面枠２を簡単に開放することができる。このとき、施錠杆６６は遊挿長孔８３ｂの範囲内で摺動するため、鉤状片５４に何等影響を与えることはなく、機構板４２を無用に開放させることはない。また、機構板４２の開放は、図１９に示すように前面枠２を開放した状態で、施錠杆６６の操作部７３を操作して、施錠杆６６をスプリング７０ｂの付勢に抗して前面枠２の解錠方向と反対方向に下動させると、遊挿長孔８３ｂの上端に頭付ピン８４ｂが当接していることから鉤状片５４が下動して、図１９鎖線に示すように係合孔５５との係合が解除されて機構板４２を開放することができる。
【００３９】
なお、前記実施例１及び２において、ガラス扉枠７の施錠を、施錠装置４側に鉤部７６を設けるようにして、ガラス扉枠７側に該鉤部７６が係合する係合孔７５を設けるようにしたが、ガラス扉枠７側に鉤部７６を設けて施錠装置４側に該鉤部７６に係合する係合部７５を設けるようにしてもよい。さらに、従来のようにガラス扉枠７を施錠する施錠具を別途設けるようにして、前面枠２を施錠する施錠装置４には前記ガラス扉枠７用の施錠具を解錠するための操作杆を設けるようにしてもよい。
【００４０】
このように、前面枠２を施錠する施錠装置４に機構板４２の自由端を係止する鉤状片５４を設けることで、従来のように機構板４２の開放端を係止固定する施錠具を別個に設けていたのに比べ、組付けの手間が大幅に省くことができる。しかも、鉤状片５４を施錠杆６６に複数連結することにより、施錠杆６６を操作するだけで上下の係合の解除操作を一気に行うことができ、従来のように１つ１つ施錠具を解除操作をすることがなく、機構板４２の施錠解除操作が簡単なものとなる。
【実施例３】
【００４１】
図２０乃至図２２は、機構板４２の自由端を係止する鉤状片５４を、ガラス扉枠７を施錠する作動杆６７に設けるようにした実施例を示す。なお、前記実施例１と同じ構成要素には同一符号を付して説明する。この実施例はガラス扉枠７の係止孔７５に係合する上下一対の鉤部材７６ａが、作動杆６７によって連結されている。具体的には、上向きの鉤部材７６ａの一端が作動杆６７に形成された長孔８８ａに軸ピン８９ａを介して移動自在に設けられ、弾性部材としてのスプリング９０ａよって前記長孔８８ａの上端で軸ピン８９ａと当接するようにしている。そして、機構板４２の係合孔５５に係止する下向き鉤状片５４の一端が作動杆６７に形成された長孔８８ｂに軸ピン８９ｂを介して移動自在に設けられ、弾性部材としてのスプリング９０ｂよって前記長孔８８ｂの下端で軸ピン８９ｂと当接するようにしている。
【００４２】
次に、上記構成の施錠装置４の作用について前記実施例１と異なる、ガラス扉枠７及び機構板４２の開閉について説明する。ガラス扉枠７を閉鎖施錠するには、ガラス扉枠７の自由端側を前面枠２側に押すとガラス扉枠７の係止孔７５が鉤部材７６ａの先端傾斜部に当接して、鉤部材７６ａがスプリング９０ａの付勢に抗して作動杆６７の長孔８８ａ内で下動して、前記鉤部材７６ａがスプリング９０ａの復帰弾性により係止孔７５に係合することで、図２１に示すように該ガラス扉枠７が前面枠２に対して確実に閉鎖保持される。また、機構板４２は自由端を遊技盤６に密着させるようにして、係合孔５５が鉤状片５４に当接するとスプリング９０ｂの付勢に抗して作動杆６７の長孔８８ｂ内で下動して、前記鉤状片５４がスプリング９０ｂの復帰弾性により係合孔５５に係合することで、図２２に示すように機構板４２が遊技盤６に密着状に固定される。
【００４３】
前記ガラス扉枠７を解錠操作するには、鍵Ｋの解錠操作によりカム板６９を図１１（ロ）矢印方向回動させると、ガラス扉枠解錠爪８０が作動杆６７の凹欠係止部８１に係止して、カム板６９の操作力をスプリング９０ａの付勢に抗して作動杆６７に伝達して、図２１鎖線に示すように該作動杆６７を下方に摺動させ、長孔８８ａの上端に位置する軸ピン８９ａにより鉤部材７６ａが下動して係止孔７５との係合が解除され、ガラス扉枠７を簡単に開放することができる。このとき、作動杆６７は長孔８８ｂの範囲内で摺動するため、鉤状片５４に何等影響を与えることはなく、機構板４２を無用に開放させることはない。また、機構板４２の開放は、前面枠２を開放した図２２実線の状態で作動杆６７の操作レバー７７を操作して、作動杆６７をスプリング９０ｂの付勢に抗して、図２２鎖線に示すようにガラス扉枠７の解錠方向と反対方向に上動させると、長孔８８ｂの下端に軸ピン８９ｂが当接していることから鉤状片５４が上動して、係合孔５５との係合が解除されて機構板４２を開放することができる。
【００４４】
図２３は、前記実施例３をさらに変更した実施例の要部を示し、前記実施例３と異なる点は下向き鉤部材７６ａ及び上向き鉤状片５４を基板６５に軸支９１して傾動自在に設けている点であり、それに伴ってスプリング９０ａ，９０ｂの付勢方向を異ならせている。そして、鉤部材７６ａ及び鉤状片５４の一端が作動杆６７に設けられる長孔８８ａ，８８ｂにそれぞれ軸ピン８９ａ，８９ｂを介して遊挿され、前記作動杆６７を上下方向に摺動し得るようにしている。この作用を簡単に説明すると、ガラス扉枠７を閉鎖すると係止孔７５が鉤部材７６ａの先端傾斜部に当接することにより、該鉤部材７６ａがスプリング９０ａの付勢に抗して上向き回動して、鉤部材７６ａがスプリング９０ａの復帰弾性により係合孔７５に係合し、ガラス扉枠７を閉鎖施錠することができる。また、機構板４２を閉鎖固定するには、機構板４２の自由端を遊技盤６に向けて押すと係合孔５５が鉤状片５４の先端傾斜部に当接し、該鉤状片５４がスプリング９０ｂの付勢に抗して下向き回動して、スプリング９０ｂの復帰弾性により係合孔５５に係合して、機構板４２が遊技盤６に密着状に閉鎖固定される。
【００４５】
この実施例でガラス扉枠７を開放させるには、鍵Ｋの解錠操作によりカム板６９を図１１（ロ）矢印方向に回動させると、ガラス扉枠解錠爪８０が作動杆６７の凹欠係止部８１に係止して、カム板６９の操作力を作動杆６７に伝達して、図２３（イ）鎖線に示すように該作動杆６７を下方に摺動させる。それに伴って長孔８８ａの上端に位置する軸ピン８９ａを下動させることにより、鉤部材７６ａが上向き回動して係止孔７５との係合が解除されて、ガラス扉枠７を簡単に開放することができる。このとき、作動杆６７は長孔８８ｂの範囲内で摺動するため、鉤状片５４に何等影響を与えることはなく、機構板４２が無用に開放することはない。次に、機構板４２を開放させるには、前面枠２を開放させた状態で、作動杆６７の操作レバー７７を操作してガラス扉枠７の解錠方向と反対方向に上動させると、鉤状片５４の一端が長孔８８ｂの下端に当接していることから、図２３（ロ）鎖線に示すように鉤状片５４が下向き回動して、係合孔５５との係合を解除して機構板４２を開放させることができる。このように、下向き鉤部材７６ａ及び上向き鉤状片５４を基板６５に軸支９１して傾動自在に設けると、軸支９１位置により作動杆６７の僅かな動きに対しても、下向き鉤部材７６ａ及び上向き鉤状片５４を大きく可動させることができる。
【００４６】
なお、実施例において鉤部材７６ａの一端を、軸ピン９１を介して長孔８８ａに遊挿するようにしたが、この構成に限定されるものではなく、作動杆６７に鉤部材７６ａの一端に係止して該鉤部材７６ａを連動させる係止部を設けるようにしてもよい。
【００４７】
また、実施例３において、機枠１の前面に前面枠２を設けて、該前面枠２にガラス扉枠７を設けるようにしたが、機枠１の前面側にガラス扉枠７を直接開閉自在に軸支してもよく、前記ガラス扉枠７を機枠１に対して閉止状態に係止する施錠装置４と、前記ガラス扉枠７と同側を開閉自在に軸支した機構板４２とを備えたパチンコ機であって、前記施錠装置４は、前記ガラス扉枠７の自由端側に固設される基板６５と、前記基板６５に沿って摺動自在に設けられる作動杆６７と、前記作動杆６７に連結され前記ガラス扉枠７に設けられる係止部７５に係脱する鉤部材７６と、前記作動杆６７に連結され前記機構板４２の自由端側に形成される係合部５５に係脱する鉤状片５４と、鍵Ｋにより解錠操作するシリンダ錠６８と、前記シリンダ錠６８の錠軸６８ａに固着され前記作動杆６７を前記鉤部材７６の解錠方向に摺動させるカム板６９とを備え、前記鉤部材７６は前記作動杆６７の解錠方向の移動にのみ連動し、前記鉤状片５４は前記作動杆６７を前記ガラス扉枠７の解錠時と反対方向に摺動操作することにより連動して前記係合部５５との係合が解除され前記機構板４２が開放されるようにしてもよい。
【実施例４】
【００４８】
図２４乃至図２７はさらに他の実施例を示し、ガラス扉枠７を施錠する鉤部材７６ａ及び前面枠２を施錠する鉤片７１ａ及び機構板４２の自由端を係止する鉤状片５４を１本の可動杆９２で連繋するようにしている。なお、前記実施例１乃至３と同じ構成要素には同一符号を付して説明する。具体的には、ガラス扉枠７を施錠する鉤部材７６ａは、可動杆９２に形成した長孔９３ａに一端を軸ピン９４ａにより摺動自在に設け、スプリング９５ａにより前記長孔９３ａの上端に軸ピン９４ａが当接するように付勢している。このとき、前記長孔９３ａの長さは後述する鉤片７１ａの解錠範囲長さと、さらに鉤状片５４の解錠範囲長さとをプラスした長さが選ばれる。次に、前面枠２を施錠する鉤片７１ａは、可動杆９２に形成した長孔９３ｂに一端を軸ピン９４ｂにより摺動自在に設け、スプリング９５ｂにより前記長孔９３ｂの下端に軸ピン９４ｂが当接するように付勢している。前記長孔９３ｂは前記鉤部材７６ａの係合が解除される長さが選ばれる。また、機構板４２の自由端を係止する鉤状片５４は、一端が可動杆９２に形成した長孔９３ｃ及び基板６５に形成したガイド長孔８２に軸ピン９４ｃを介して摺動自在に設けられ、スプリング９５ｃにより前記基板６５に形成したガイド長孔８２の下端に軸ピン９４ｃが当接するように付勢している。このとき、可動杆９２に形成された長孔９３ｃは、前記鉤部材７６ａ及び鉤片７１ａの係合が解除される長さをプラスした長さとして、常には軸ピン９４ｃがガイド長孔８２の下端に位置すると共に長孔９３ｃのほぼ中央に位置している。２１は機枠１に設けられ、鉤片７１ａの上動を規制する上動規制片である。
【００４９】
上記構成の施錠装置４の作用について説明する。先ず、ガラス扉枠７を施錠するには、ガラス扉枠７を閉鎖操作するとガラス扉枠７の自由端の係合孔７５が鉤部材７６ａの先端傾斜部に当接し、鉤部材７６ａがスプリング９５ａの付勢に抗して下動して、スプリング９５ａの復帰弾性により鉤部材７６ａが係合部７５に係合して、ガラス扉枠７が前面枠２に閉鎖施錠される。この状態で、ガラス扉枠７を開放させるには、鍵Ｋによってシリンダ錠６８を操作してカム板６９を回動させると、該カム板６９が可動杆９２の係合凹部９６ａに係合して可動杆９２を下動させる。そうすると、図２５に示すように鉤部材７６ａの軸ピン９４ａが長孔９３ａの上端に当接していることから、可動杆９２の下動により上下一対の鉤部材７６ａが共に下動し、係合部７５との係合を解除してガラス扉枠７を開放することができる。このとき、鉤片７１ａは長孔９３ｂの下端に位置しているため、可動杆９２が下動しても鉤片７１ａの軸ピン９４ｂは長孔９３ｂ内に位置して何等影響を受けることはない。また、鉤状片５４についても同様に軸ピン９４ｃが長孔９３ｃ内に位置するため、何等影響を受けることはない。
【００５０】
次に、前面枠２を施錠するには、前面枠２の自由端を機枠１に押付けると、鉤片７１ａの先端傾斜部が機枠１の受金具１２に当接し、鉤片７１がスプリング９５ｂの付勢に抗して上動して、スプリング９５ｂの復帰弾性により鉤片７１ａが受金具１２に係合し、前面枠２が機枠１に閉鎖施錠される。この状態で、前面枠２を開放させるには、鍵Ｋによってシリンダ錠６８を前記ガラス扉枠７の回錠時と反対方向に回動操作してカム板６９を回動させ、該カム板６９が可動杆９２の係合凹部９６ｂに係合して、図２６鎖線に示すように可動杆９２を上動させる。そうすると、鉤片７１ａの軸ピン９４ｂが長孔９３ｂの下端に当接していることから、可動杆９２の上動により上下一対の鉤片７１ａが上動し、受金具１２との係合を解除して前面枠２が開放される。このとき、カム板６９を所定範囲回動すると、鉤片７１ａが上動規制片２１に当接してそれ以上の回動が阻止され、可動杆９２は鉤片７１ａの解錠範囲、つまり長孔９３ｃの範囲内を上動するだけであり、長孔９３ｃの下端で軸ピン９４ｃを上動させることはなく、鉤状片５４を上動させて係止孔５５との係合を解除して無用に機構板４２が開放することはない。また、鉤部材７６ａは長孔９３ａの上端に位置しているため、可動杆９２が上動しても鉤部材７６ａの軸ピン９４ａは長孔９３ａ内に位置して何等影響を受けることはない。
【００５１】
また、機構板４２の自由端を係止施錠するには、機構板４２の自由端を遊技盤６に押付けると、鉤状片５４の先端傾斜部が機構板４２の係合孔５５に当接し、スプリング９５ｃの付勢に抗して鉤状片５４が上動して、スプリング９５ｃの復帰弾性により鉤状片５４が係合孔５５に係合して、機構板４２が遊技盤６に密着固定される。次に、機構板４２を開放させるには、図２７に示すように前面枠２を開放させた状態で、操作部９９を操作して可動杆９２を上動させる。そして、鉤片７１ａが解錠範囲上動すると長孔９３ｃの下端が軸ピン９４ｃに当接し、前記鉤片７１ａの解錠範囲を越して摺動操作させることにより、係合孔５５との係合が解除され機構板４２を開放し得る状態とすることができる。このとき、鉤部材７６ａは長孔９３ａの上端に位置しているため、可動杆９２が上動しても鉤部材７６ａの軸ピン９４ａは長孔９３ａ内に位置して何等影響を受けることはない。
【００５２】
このように、施錠方向が反対方向の前面枠２及びガラス扉枠７の鉤部材７６ａ及び鉤片７１ａを１本の可動杆９２に連繋すると共に、さらに機構板４２の自由端を係止する鉤状片５４を設けることにより、部品点数をより少なくすることができ、組立作業も簡単となる。また、可動杆９２に上下鉤片７１ａ，７１ａをそれぞれ摺動自在に設けるようにしたので、ホールにおいて、閉店後に不正目的でパチンコ機の上部に開閉自在に設けられる点検用の幕板を開放して、鍵Ｋを使用せずに施錠装置４の鉤片７１ａを操作して前面枠２を開放し、基板ボックス４６の遊技制御基板を交換しようとして、一方の鉤片７１ａを操作して受金具１２との係合を解除しても、該鉤片７１ａが前記上動規制片２１に当接してそれ以上上動させることができないので、可動杆９２を上動させてもう一方の鉤片７１ａを作用させることができないため、前面枠２を開放させることができず、不正防止の役割を果すこともできる。
【００５３】
また、前記実施例で示したように、鉤状片５４，鉤片７１ａ，鉤部材７６ａを基板６５に回動自在に軸支するようにしても、同様の効果を奏するのはいうまでもない。また、実施例１についてもいえることだが、前面枠２の閉鎖時に施錠杆６６，可動杆９２を手で操作して前面枠２を開放させることが可能であるが、機構板４２を開放することなく前面枠２のみを開放するには、意識的に施錠杆６６，可動杆９２の移動量を注意をしなければならない。その不便さをなくすために、例えば受金具１２の上方に鉤片７１，７１ａの上動を規制する規制部を設けることにより、前面枠２の閉鎖時には規制部により上動範囲が規制され、無用に機構板４２が開放されることはない。また、該規制部は前記ストッパ７８の代わりともなり、鍵Ｋの解錠操作によりカム板６９を回動させても、鉤片７１，７１ａが規制部に当接することにより、施錠杆６６，可動杆９２がそれ以上上動できないことからカム板６９はそれ以上回動できず、前記規制部がカム板６９の回動規制の役割を果す。
【００５４】
なお、前記鉤状片５４，鉤部材７６ａ，鉤片７１ａは、前記実施例の取付け方に限定されることなく、例えば図２８に示すように鉤状片５４，鉤部材７６ａ，鉤片７１の一端に長孔８５を形成して、施錠杆６６，作動杆６７，可動杆９２に設けられる軸ピン８６を介して摺動自在に設けるようにしても、同図一点鎖線及び二点鎖線に示すように前記実施例と同様に作用させることができる。
【００５５】
また、実施例において、前記施錠杆６６及び作動杆６７，可動杆９２を帯板金属により形成するようにしたが、帯板金属の中央部を押し出して隆起させることにより、強度を高めるようにするのが好ましい。また、帯板金属に替えて棒状金属により形成するようにしてもよい。
【００５６】
また、機構板４２の係合孔５５は合成樹脂により形成されているため、度重なる鉤状片５４との係合により摩耗して、係合状態にがたつきが発生する怖れがあるため、好ましくは鉄板により係合孔５５を補強すると共に、該鉄板を折り曲げ弾性を付与することにより、鉤状片５４との係止状態を調整できるようにするのがよい。さらに、上下固定係止部５３を補強する鉄板を連結して機構板４２の補強を兼用するようにしてもよい。
【００５７】
具体的に図面を参照して説明する。なお、施錠装置４において前記実施例と異なる点は、鉤状片５４を回動式として上向きフックとした点であり、同じ構成には同一符号を付して説明する。また、この実施例において、図２９及び図３０に示すように、機構板４２の開口窓４４を閉塞するカバー体１０６が開閉自在に設けられている。そして、上下係合孔５５の補強板１００は、図３１に示すように帯状の金属板を一部Ｌ字状に屈曲した連結プレート１０１に一体に設けられ、そのほぼ中間に機構板４２の自由端側の傾動を防止する規制片１０２を設け、前記カバー体１０６の軸受板１０８を連結プレート１０１に一体に設けている。１０４は連結プレート１０１を機構板４２に取付けるためのビス孔であり、好ましくは機構板４２の閉鎖時にガイド片９８に最初に当接する規制片１０２の近傍に設け、ガイド片９８に当接した際の衝撃により連結プレート１０１がずれたり外れたりしないようにするのがよい。前記補強板１００は、前記鉤状片５４の上動によって該補強板１００に係合するように前記係合孔５５の上方に位置して設けられている。また、前記規制片１０２は、施錠装置４の基板６５に設けられるガイド片９８の傾斜面に接触して移動することにより、機構板４２は正規位置に導かれ、前記鉤状片５４が係合孔５５に対向位置して係合し得るようになる。前記補強板１００及び規制片１０２の上端に、５ｍｍ〜１０ｍｍ程度の取着用舌片１００ａ，１０２ａが突設されている。なお、前記舌片１００ａ，１０２ａは、後述する挿通孔１０３に挿通しやすいように上向テーパー又は円弧状とするのが好ましい。また、前記軸受板１０８は、金属片を屈曲して形成され、該軸受板１０８に前記カバー体１０６のヒンジ部材１０７に設けられる軸ピン１１５が嵌挿される軸孔１２１が貫設されている。なお、カバー体１０６のヒンジ部材１０７に軸孔を貫設して、軸受板１０８に上向きの軸ピンを突設させるようにして、軸孔を軸ピンに嵌挿させるようにしてもよい。このように、連結プレート１０１にカバー体１０６の軸受板１０８を一体に設けることで、従来カバー体１０６の軸受部を機構板４２に一体に設けていたのに比べて、機構板４２の成型を容易とし軸受の強度を高めることができる。さらに、従来軸受が損傷すると、機構板４２の全体を交換しなければならないが、連結プレート１０１に軸受板１０８を設けることで、万一軸受部が損傷したとしても、連結プレート１０１を交換すればよくコストの削減に寄与することになる。１０９は機構板４２に設けられるカバー体１０６の上動規制片であり、カバー体１０６の閉鎖時にヒンジ側の連繋が外れないように、カバー体１０６のヒンジ部材１０７が上動規制片１０９の下方に入り込みカバー体１０６の上動を阻止する。なお、図３３に示すようにカバー体１０６の上動規制片１０９を、連結プレート１０１の折曲片１０１ａをさらに折曲して形成するようにしてもよい。また、カバー体１０６のヒンジ部材１０７を直接規制することなく、別途規制部を設けて前記上動規制片１０９により規制するようにしてもよい。
【００５８】
一方、機構板４２の側方であり前記固定係止部５３の係合孔５５の上方及び前記規制片１０２に対応位置して、下向き開口した袋状の挿通孔１０３が形成されている。前記補強板１００の取付けは、図３４に示すように連結プレート１０１を機構板４２の側面に沿わせると共に、前記舌片１００ａ，１０２ａを袋状の挿通孔１０３の下方に臨ませ、連結プレート１０１を上動させ舌片１００ａ，１０２ａを袋状の挿通孔１０３に挿通して位置決めされ、ビス孔１０４にビスを螺着することで簡単に取付けることができる。このように、袋状の挿通孔１０３を設けることで、連結プレート１０１の位置決めが容易となり、しかもビス１本で取付けができるため、補強板１００を個々に設けるのに比して取付作業の効率化を図ることができる。なお、前記補強板１００の下端を係合孔５５から後方に折曲するようにしても、さらに補強板１００の下端をコ字状に屈曲して、連結プレート１０１をスライドして取付ける際に係合孔５５の端部に係合するようにして、該係合孔５５を保護すると共に連結プレート１０１の固定も兼ねることができる。また、このように補強板１００の下端を折曲又はコ字状に屈曲させることで、鉤状片５４が補強板１００に最初に当接することになるため、より係合孔５５の損傷を防止することができる。また、図３５に示すように折曲片１０１ａの下方に位置する機構板４２に、上向に弾発する弾性片１１９を門型の切溝により形成し、連結プレート１０１を取付ける際に、図３５（イ）に示すように折曲片１０１ａで前記弾性片１１９を付勢に抗して押さえ込み、連結プレート１０１をスライドさせて該連結プレート１０１が所定位置に上動したときに、折曲片１０１ａの押圧から解放された弾性片１１９が弾性復帰して、前記折曲片１０１ａの下端に係止するようにして、ビス着することなく連結プレート１０１を取着するようにしてもよい。このとき、より折曲片１０１ａ下端との係合を確実にするために、前記折曲片１０１ａの下端をさらに弾性片１１９の弾発方向に折曲させるのが好ましい。さらに、その折曲部を前記した上動規制片１０９として、図３５（ロ）に示すようにカバー体１０６のヒンジ部材１０７の上面に、Ｌ字状の起立片１２０を立設し、カバー体１０６の閉鎖時に該起立片１２０が前記折曲部（上動規制片１０９）の下面に入り込んで、カバー体１０６の上動を阻止してカバー体１０６が外れないようにしてもよい。このとき、起立片１２０が弾性片１０９を押さえ込まないように寸法設定するのが好ましい。
【００５９】
また、前記球タンク４８又は傾斜樋５０ａを機構板４２に取付けているビスを連結プレート１０１の取付ビスと共有して、連結プレート１０１の折曲片１０１ａを該ビスで共締めするようにしてもよく、さらに部品点数を削減することができる。このとき、機構板４２の裏面を折曲片１０１ａの厚み分削切して、球タンク４８又は傾斜樋５０ａの取付高さ位置が変化しないようにするのがよい。また、図３６に示すように連結プレート１０１の折曲片１０１ａと傾斜樋５０ａに設けられる静電気除去用鉄板１１０とを接触導通させて、ビスにより共締めすることによりアースすることができる。そして、連結プレート１０１に放電された静電気は、補強板１００と鉤状片５４との接触により施錠装置４に放電され、鉤部７６とガラス扉枠７の係止孔７５との係合によりガラス扉枠７に放電され、さらにガラス扉枠７のヒンジを介して放電される。このように、接触及び係合によって導通させるようにしてアース線を介して放電を行わないため、アース線の配線作業及び機構板４２を開放したり取外したりする際にアース線を取外す煩わしさはない。なお、球タンク４８に静電気除去用鉄板１１０を設けて、該静電気除去用鉄板１１０と連結プレート１０１の折曲片１０１ａとを接触導通させて、共締めするようにしても前記傾斜樋５０ａと同様の効果を奏する。また、機構板４２を上下に分割したものとして説明したが、機構板４２を上下一体ものとして、基板ボックス４６を折曲片１０１ａと接触させて共締めすることにより導通させてアースするようにしてもよい。
【００６０】
なお、補強板１００を係合孔５５の上方に位置して設けるようにしたが、これは図３２に示すように鉤状片５４を上向きフックとしたためであり、鉤状片５４を下向きフックとした場合には、補強板１００を係合孔５５の下方に位置して設けるようにすればよい。このとき、舌片１００ａ，１０２ａ及び袋状の挿通孔１０３も下向きに設けるようにすればよい。さらに、実施例において、補強板１００を連結プレート１０１により一体化したが、補強板１００を固定係止部５３として、該固定係止部５３に直接係合孔５５を開設するようにしてもよい。また、連結プレート１０１に鉤状片５４を固定的に設け、施錠装置４側（施錠杆６６，作動杆６７，可動杆９２）に前記鉤状片５４が係止する係合孔又は係止片を可動自在に設けるようにしてもよい。
【００６１】
また、連結プレート１０１にカバー体１０６の軸受板１０８を一体に設けるようにしたが、機構板４２に開閉自在に設けたカバー体１０６の係止部を施錠装置４側として、図３７に示すように該係止部を連結プレート１０１に一体に設けるようにしてもよい。具体的にはＬ字状に屈曲した折曲片１０１ａをさらにカバー体１０６の立壁１０６ａに沿うように屈曲させ、該屈曲片１０１ｂに係止孔１１７を貫設し、カバー体１０１の立壁１０６ａに切り溝により弾性係止片１１８を形成し、弾性片１１８を押圧することで爪部と係止孔１１７の係合を解除するようにしている。なお、切り溝により弾性係止片１１８を設けることなく、立壁１０６ａに爪部のみを設け、立壁１０６ａの撓みにより係止孔１１７との係合を解除するようにしてもよい。
【００６２】
前記連結プレート１０１は、機構板４２の縁枠に沿って設けられることから補強の用をなすが、前記機構板４２の縁枠を無くしてその代わりに、連結プレート１０１の中間部を裏面側を開放した断面コ字型に形成し、該コ字型形成部を配線収納部としてもよい。なお、前記配線収納部の蓋部はカバー体１０６の立壁１０６ａに一体に形成し、カバー体１０６の閉鎖時に前記配線収納部の開口部を閉塞するようにするのが好ましい。そして、配線収納部６１に配線を収納するには、カバー体１０６を開放して配線収納部の開口を露呈させ、球タンク４８又は傾斜樋５０ａの球切れ検知スイッチ等の配線を、前記配線収納部に収納する。次に、カバー体１０６を閉鎖することで、カバー体１０６の立壁１０６ａに形成された蓋部が配線収納部の開口を閉塞し、配線が確実に収納される。なお、前記連結プレート１０１に前記配線収納部の開口に一部臨むように折曲片１０１ａを設けて、配線の仮押えとしてもよい。このように、機構板４２の縁枠の少なくとも一部を連結プレート１０１により代替することにより、機構板４２の型材を小さくすることができ、成型も容易となる。また、前記機構板４２の縁枠に後面が開放する配線収納部を設けた際には、前記連結プレート１０１に配線収納部の蓋部の軸支部を一体に設け、該軸支部に蓋部を開閉自在に軸支するのが好ましい。
【００６３】
なお、施錠装置４に機構板４２の自由端を係止する鉤状片５４を設けるようにしたが、さらに機構板４２の上部に係止して機構板４２の撓みを防止する鉤状の係止片を連動させるようにしてもよい。具体的には、取付枠５の上面で一端を軸支した係止片を、前記鉤状片５４が設けられる施錠杆６６，作動杆６７，可動杆９２の上動により前記係止片が上方に回動するように連動杆を連繋するのがよい。前記係止片は前記鉤状片５４と同様に、先端部を傾斜部として機構板４２の閉鎖動作により、該機構板４２が傾斜部に当接して上方に回動するようにしており、好ましくは前記傾斜部を接触面積を大きくするように先端を屈曲させて、傾斜面とするのがよい。また、係止片を上方に回動させることにより、施錠杆６６，作動杆６７，可動杆９２が上動して鉤状片５４を連動させるようにしてもよい。このとき、前面枠２の閉鎖時には鍵Ｋにより前面枠２は開放されるが、係止片を操作しても該係止片の回動範囲が機枠１に衝止して規制され、無用に機構板４２を開放させることのないようにするのが好ましい。また、前記したように先端を屈曲させて傾斜面とすることで、指で係止片を操作しやすくすることができる。
【００６４】
図３８及び図３９は、施錠装置４に遊技盤６の位置決めを備えた実施例を示している。図２９に示すように、基板６５の一側の一部を取付枠５の外側に沿って延設すると共に、遊技盤６の設置領域３０の内方に向うように屈曲させて、該折曲部に打ち込みして強度を高め、遊技盤６の裏面側が当接して位置規制する規制片９７としている。このとき、当然前記実施例で示した位置決め突条３１を設けることはなく、取付枠５の型が簡素化されコストの低減化に寄与する。また、基板６５を金属板によって形成することにより、前記規制片９７に弾性を付与することができ、遊技盤６が密接してがたつきをなくすことができる。さらに、規制片９７に切溝等を設けることにより、部分的に弾性を付与するようにしてもよい。なお、規制片９７は設置領域３０の前面に臨むように取付枠５を貫通して設け、遊技盤６の前面側が当接して、前面側への移動を阻止する位置規制とするようにしてもよい。また、施錠装置４と反対に位置する遊技盤６の位置決めは、機構板４２のヒンジ具４３の上下固定ヒンジ部５９を一体に連結する連結部材に、前記規制片９７と同様に設けるようにしてもよい。
【００６５】
また、図４０に示すように施錠装置４の基板６５に遊技盤６の固定具１１１の取付部１１２を形成するようにしてもよい。前記取付部１１２は、基板６５の一側の一部を取付枠５の外側に沿って延設すると共に、遊技盤６の設置領域３０の内方に向うように屈曲させると共に、取付枠５の外側に沿った延設片を切欠きして設置領域３０の外方に向うように屈曲させ形成される。そして、取付部１１２に形成されたビス孔に固定具１１１をビス着することで回動自在に取着することができる。なお、固定具１１１は、図示したように遊技盤６の裏面に沿って摺動するものに限らず、遊技盤６面に対して交差する方向に可動するものであってもよい。また、基板６５を取付枠５の一部としてもよく、好ましくは取付枠５の一側を基板６５とするのがよい。なお、図上遊技盤６をパチンコ機の裏面側から装着するものとしたが、遊技盤６をパチンコ機の正面から装着するものとしてもよいのはいうまでもない。
【００６６】
また、実施例において、鉤状片５４を施錠杆６６，作動杆６７，可動杆９２に設けるようにしたが、基板６５に鉤状片５４を固定的に設けるようにして、機構板４２側を上下動させて係止したり固定具により鉤状片５４に係止させたりするようにしたりしても、従来に比して部品点数を減らし、組立工程も簡素化することができる。前記固定具は、例えばガイド用の長孔を有する一対の支持壁を左右両側に対設して断面コ字状に形成された枠体の底部に前記鉤状片５４が臨む開孔を設けると共に、支持壁間にレバーを軸により回動自在に枢支し、該レバーには、先端に前記鉤状片５４に係合する係合部を備え、かつ両側に突設した突起を長孔に挿通して移動自在に支持される係合部材の基端を枢着して成る。
【００６７】
前記機構板４２を上下に分割して形成し、実施例において上部機構板４２の施錠具を施錠装置４に設けるようにしたが、別途下部機構板用の鉤状片を備えた可動板を施錠装置４に設けて、弾性部材の付勢により下部機構板の自由端側の係止部に係止するようにしてもよい。なお、好ましくは前記可動板を施錠方向に付勢する弾性部材を、前記施錠杆６６，作動杆６７，連動杆９２を付勢する弾性部材と共有させるのがよい。このとき、可動板を施錠方向に付勢する方向は前記施錠杆６６，作動杆６７，連動杆９２を施錠方向に付勢する方向と異ならせるのがよい。また、ここで下部機構板の施錠具を前記施錠装置４に設けるものとして説明したが、メイン基板，電源基板，払出基板等の複数の制御基板のみを一括して備える基板ベースを開閉自在に設けるようにして、自由端を施錠する施錠具を前記施錠装置４に設けるようにしてもよい。なお、好ましくは前記基板ベースを導電性樹脂又はアルミ等の金属製とするのがよい。
【００６８】
また、前記前板８を前面枠２に対して施錠する施錠具を前記施錠装置４に設けるようにしてもよく、好ましくは施錠具を解錠操作する操作部を設けるのがよい。このとき、前板８側には施錠具が係止する係止部が設けられる。前記施錠具は、フックを備えた摺動杆が弾性部材により施錠方向に付勢されて設けられ、ガラス扉枠７を開放した状態で前記操作部が操作し得るように設け、前記操作部を弾性部材の付勢に抗して操作することにより、係止部との係止を解除して前板８を開放するようにするのがよい。また、前記施錠具を施錠方向に付勢する弾性部材を、前記施錠杆６６，作動杆６７，連動杆９２を付勢する弾性部材と共有させるのが好ましい。なお、施錠具を施錠方向に付勢する方向は、前記施錠杆６６，作動杆６７，連動杆９２を施錠方向に付勢する方向と異ならせるのがよい。また、前板８に上部球受皿９を設けるようにしたが、該前板８と上部球受皿９を一体的に設けるようにして、上部球受皿９が前面枠２に対して開閉自在に設けられるようにしても、下部球受皿１０が一体的に開閉されるようにしてもよい。さらに、下部球受皿１０が単独で前面枠２に対して開閉するようにして、該下部球受皿１０の施錠具を施錠装置４に設けるようにしてもよい。なお、前記基板ベースと球受皿を施錠する各係止具を１本の連動杆に設け、該連動杆を互いに逆方向に摺動させることで、基板ベース及び球受皿を個々に開放させるようにして、部品点数を削減するようにしてもよい。
【００６９】
なお、実施例においてガラス扉枠７を単独で開放するものとして、作動杆６７又は連動杆９２によって施錠・解錠するように説明したが、ガラス扉枠７及び前板８が一体に開放するもの、さらに下部球受皿１０がガラス扉枠７と一体に開放されるものであってもよい。
【００７０】
また、実施例において施錠装置４を前面枠２側に設けるようにしたが、機枠１側に設けるようにしても本願発明は適用できる。例えば実施例１で示した施錠装置４を、前記前面枠２の自由端側に位置して機枠１に固設される基板６５と、前記基板６５に沿って摺動自在に設けられる施錠杆６６と、前記施錠杆６６に連結され前記前面枠２に設けられた係止部に係脱する鉤片７１と、前記施錠杆６６に連結され前記機構板４２の自由端側に形成される係合部５５に係脱する鉤状片５４と、鍵Ｋにより解錠されるシリンダ錠６８と、前記シリンダ錠６８の錠軸６８ａに固着され前記施錠杆６６を前記鉤片７１の解錠方向に摺動させるカム板６９とを備え、前記鉤状片５４は前記施錠杆６６を前記鉤片７１の解錠範囲を越して摺動操作させることにより連動して前記係合部５５との係合が解除され前記機構板４２が開放されるようにすればよい。さらに、前記施錠装置４にガラス扉枠７を施錠する施錠具を設けるようにしてもよい。このとき、鍵Ｋによりシリンダ錠６８を解錠操作してガラス扉枠７が解錠され、さらに同一方向に解錠操作すると前面枠２が解錠されるようにするのが好ましい。そして、ガラス扉枠７及び前面枠２を開放した状態で施錠杆６６を摺動操作すると、前記係合部５５との係合が解除され前記機構板４２が開放される。また、同様に実施例２乃至４の施錠装置４を機枠１側に設けることができる。
【００７１】
また、機構板４２の自由端側に施錠装置４を設けるようにしてもよい。このとき、施錠装置４は、前記機構板４２の自由端側に固設される基板６５と、前記基板６５に沿って摺動自在に設けられる施錠杆６６と、前記施錠杆６６に連結され前記前面枠２に設けられた係止部に係脱する鉤片７１と、前記施錠杆６６に連結され前記機枠１の自由端側に形成される係合部に係脱する鉤状片５４と、鍵Ｋにより解錠されるシリンダ錠６８と、前記シリンダ錠６８の錠軸６８ａに固着され前記施錠杆６６を前記鉤片７１の解錠方向に摺動させるカム板６９とを備え、前記鉤状片５４は前記施錠杆６６を前記鉤片７１の解錠範囲を越して摺動操作させることにより連動して前記係合部との係合が解除され、前記機構板４２が開放されるようにすればよい。つまり、この実施例においては、機構板４２が機枠に対して回動自在に軸支されており、シリンダ錠６８の解錠操作により前面枠２を開放し、この前面枠２を開放した状態で施錠杆６６を操作して、鉤状片５４と機枠１との係合部の係合を解除して機構板４２を開放させることができる。
【００７２】
また、前記遊技盤６の施錠装置４側を取付枠５に固定する係止具を前記施錠装置４に可動自在に設けるようにしてもよい。該係止具は鉤状のフックであり、遊技盤６を切欠きして形成された係合部に係合するように設けられる。該係止具は、単体でそれぞれ基板６５に設けるようにしても複数の係止具を連結する可動板を介して設けるようにしてもよい。なお、弾性部材によって係止具を係止方向に付勢するようにしても、自重により係合部に係止するようにしてもよい。また、遊技盤６の他側は機構板４２のヒンジ具４３（固定ヒンジ部材又は可動ヒンジ部材）を上下連結する連結部材５８に、係止具を施錠装置４に設けたように可動自在に設けるようにしても、連結部材５８を前記位置決め突条３１に対向位置するように挟着片を屈曲して設け、前記位置決め突条３１及び挟着片間に遊技盤６の一側を位置決め挟着し、他側を前記した係止具により係止するようにしてもよい。また、遊技盤６は前面側から装着することなく、取付枠５の後面側から装着するようにしてもよい。
【００７３】
なお、前記実施例において、ヒンジ具４３の配線収納部６１を機構板４２の裏面側に開放して、配線を裏面側から収納するようにしたが、図４１及び図４２に示すように配線収納部６１を機構板４２の前面に位置させて側面を開放して配線を収納するようにしてもよく、このように配線収納部６１の側面を開放させるようにすることで、図４１に示すように屈曲樋５０ｂ及び球払出装置４９の側端を軸ピン５６の軸線内に位置させることができ、その分開口窓４４をより大きく開口させることができる。さらに、図４２に示すように配線収納部６１によって直接遊技盤６を押圧することができるため、少なくとも該配線収納部６１が位置する個所に遊技盤６の固定具を設ける必要がなく、部品点数を削減することができる。なお、実施例では機構板４２を上下に分割したものとして説明したが、機構板４２を上下一体ものとすることで、下方まで配線収納部６１を形成することができ、遊技盤６の下方を固定する固定具を設けなくてもよくなる。
【００７４】
上述した実施例において、前記機構板４２を開閉自在に軸支するようにして、自由端側を施錠装置４に設けた鉤状片５４により係止するようにしたが、機構板４２は開閉自在に装着するものに限定されることはなく、例えば施錠装置４の反対側縁（実施例において軸支側）に鉤状片５４等の固定具が設けられ、それぞれの固定具の係合により着脱自在に設けるようにしたものであってもよい。例えば、図４３に示すように鉤状片５４が設けられる連結杆１１３を前面枠２に対して摺動自在に配設し、機構板４２の前記鉤状片５４に対応する位置に係合部（係合孔５５）を設けて、施錠装置４の鉤状片５４と連結杆１１３に設けた鉤状片５４とを係合部５５に係合させることにより、機構板４２が前面枠２に対して着脱自在に設けられる。このとき、上下係合部５５の補強板１００は連結部材５８により一体に連結され、前記したように連結部材５８を折曲することにより配線収納部６１を形成している。１１３ａは連結杆１１３の操作部である。また、補強板１００の取付けも前記実施例に示したように、袋状の挿通孔１０３に挿通して取付けられる。このように、機構板４２を軸支することなく着脱自在とした際には、機構板４２の閉鎖状態を保持する前記ガイド片９８等の支持手段を設けるのが好ましく、該支持手段は機構板４２の装着時に機構板４２の支点（位置決め）となるようにして鉤状片５４と係合部５５を係合させるのがよい。なお、支持手段は、機構板４２の上部で引っ掛けるようにしても、機構板４２の下部を戴置するようにしてもよい。このときの支持部は、好ましくは前記連結プレート１０１及び連結部材５８と一体に設けるようにするのがよい。また、固定具は実施例に示した鉤状片５４に限定されることなく、鉤状片５４を固定的なものとして係止具により係止する等、他に様々な形態が考えられる。なお、鉤状片５４を上下一対設けるようにしたが、前記したように支持手段を一方の係止手段として、上下いずれか一方の鉤状片５４により係止するようにしてもよい。このことは、いままで説明してきた実施例においても言えることである。また、鉤状片５４の係止解除を簡単にするために、鉤状片５４が設けられる施錠杆６６（作動杆６７又は可動杆９２）と連結杆１１３とを同時に操作し得るようにリンク部材等を介してレバー部材を設けるのが好ましい。このレバー部材を操作することにより、施錠杆６６（作動杆６７又は可動杆９２）と連結杆１１３とが同時に可動して、鉤状片５４と係合部５５との係合を一挙に解除することができ、機構板４２の取外しが簡単となる。
【００７５】
また、機構板４２を回動自在又は着脱自在に設けた場合に共通していえることであるが、機構板４２の後方への撓みを防止する方法として、機構板４２の上部ほぼ中央に受片を突出形成し、機枠１の上部枠下面に押え片が垂下する金属製の押え部材を設け、前面枠２の閉鎖時に前記受片が押え片に当接することで、機構板４２の後面側への撓みを防止することができる。なお、前記押え部材は合成樹脂により形成してもよいのはいうまでもなく、好ましくは取付のための位置決めボスを設けるのがよい。前記押え片は前記受金具１２と同様のものを使用すれば、わざわざ押え部材を別途形成することがないためコストを低減化することができる。また、前記押え片に弾性を付与して確実に受片に当接するようにして、撓みを防止するようにしてもよい。また、上部枠を合成樹脂又はアルミ・マグネシウム等により形成して、前記押え片を上部枠と一体に形成するようにしてもよい。このとき、上部枠のみを分割形成するようにしてもよい。さらに、機構板４２の後面に位置してボルト・ビスを上部枠の下面に突出させ、該ボルト・ビスにより機構板４２の上部又は受片を当接させるようにしてもよい。さらに、他の方法として機枠１の上部枠下面に干渉するように受片を突出させ、上部枠の前面側から前記受片を受入れて前面枠２の閉鎖時に該受片が当接する切溝を切削するようにしてもよい。このとき、強度的に切削量を少なくするために、切溝端に当接する受片を前面側に延出するようにするのが好ましい。また、施錠装置４側においても鉤状片５４と係合孔５５との係合が緩くなると、機構板４２にがたつきが生じるため、機枠１に設けられている前記受金具１２を屈曲延設して機構板４２の裏面端部に当接する押え片を形成し、前面枠２の閉鎖時に該押え片で機構板４２の裏面端部を押さえ込み、がたつきをなくすようにしてもよい。同様に他側にも機構板４２の裏面端部に接触合致する押え部材を設けるようにして、機構板４２の撓み及びがたつきを防ぐようにしてもよい。また、機枠１のコーナー部に設けられる補強板を延設して押え片を形成するようにしてもよい。これまで説明した押え片は、機枠１に固定的に設けるようにしたが、押え部材を着脱自在に設けるようにして、パチンコ機のホールへの納入前に必要に応じて前記押え部材を外すことにより、機枠１の後面側から機構板４２を開放できるようにしてもよい。具体的には、例えば上部枠又は側枠の機構板４２の後端面に位置する任意の場所に、押え部材の挿通孔を段状に開設し、一方押え部材は上部枠及び側枠を貫通して機構板４２の後端面に当接する長さを有し、機枠１の内方向を規制する規制片と外向きに拡開弾性を有し機枠１に係止して機枠１の外方向への移動（抜脱）を阻止する係止部を設けている。そして、押え部材を挿通孔に挿通すると係止片と規制片とにより所定位置に固定される。このとき、当然のことではあるが押え部材は機枠１の外周から突出することはない。また、押え部材の取外しは、挿通孔から前記弾性係止片を摘んで係止部の係合を解除して取外すことができる。
【００７６】
さらに、他の機構板４２の撓み防止の手段として、前面枠２に機構板４２の端部に係止する弾性係止片を一体又は別体に設け、該弾性係止片の係止爪を下向き山形状に形成し、一面を機構板４２と接触して弾性に抗して上動させるガイド面とし、他面を機構板４２に係止する係止面としている。該係止面は、機構板４２の開放動作により解除方向に力が作用するように機構板４２側に向かって傾斜させている。つまり、弾性係止片の本体に対して鈍角に形成される。これは、機構板４２の閉鎖動作により簡単に係止すると共に、指で解除操作しなくても機構板４２の開放動作によって簡単に外れるようにしている。そして、前面枠２の閉鎖時に前記弾性係止片の上面と機枠１の上部枠の下面との隙間は、前記係止爪の係止長さより狭く設定される。このように、弾性係止片の上面と機枠１の上部枠の下面間の隙間を設定することで、前面枠２の閉鎖時に機構板４２が撓んで係止部が外れそうになっても、機枠１の上部枠との隙間が係止爪の係止長さより狭いため、係止爪が外れることはなく機構板４２の撓みを防止することができる。なお、前面枠２を機枠１に閉じる際に、機枠１の前面壁に前記弾性係止片の先端が当たることなくスムーズに機枠１の下面に潜り込むようにするために、該弾性係止片の先端上面を下方に向けてテーパー状とするのが好ましい。また、弾性係止片に替えて係止片を回動自在に設けるようにしてもよく、該係止片は自重でも弾性部材によって係止方向に付勢するようにしてもよい。但し、係止片の係止爪の形状及び係止片の回動範囲は前記した実施例と同様であり、係止片に触ることなく機構板４２が閉鎖・開放ができ、前面枠２の閉鎖時には係止片が機枠１の上部枠の下面に接触して係合が外れないようにすればよい。また、弾性係止片及び係止片が係止する機構板４２の係止部を、前記係止爪の係止面と合致するテーパー面とするのが好ましい。なお、前記撓み防止手段の配置位置は、機構板４２の上部一側の任意の場所でよく、配置個数も限られることなく１個でも複数でもよい。また、前記撓み防止手段を機構板４２の左右端に設けると、機構板４２の軸支位置又は側部の係止位置が多少下方に位置しても撓みを防止することができる。
【図面の簡単な説明】
【００７７】
【図１】パチンコ機の正面図である。
【図２】パチンコ機の裏面図である。
【図３】前面枠を開放した状態を示す裏面斜視図である。
【図４】ガラス扉枠を開放し遊技盤を外した状態の斜視図である。
【図５】取付枠から係止部材を外した状態を示す要部斜視図である。
【図６】機構板のヒンジ具を示す要部斜視図である。
【図７】図６の要部断面図である。
【図８】施錠装置の斜視図である。
【図９】施錠装置の分解斜視図である。
【図１０】施錠装置を示すパチンコ機の要部平断面図である。
【図１１】（イ），（ロ）はカム板の作用説明図である。
【図１２】ガラス扉枠の解錠を示す作用説明図である。
【図１３】前面枠の解錠を示す作用説明図である。
【図１４】機構板の係合解除を示す作用説明図である。
【図１５】施錠装置にガイド片を設けた実施例を示す要部側断面図である。
【図１６】施錠装置の他の実施例を示す斜視図である。
【図１７】施錠装置の他の実施例を示す分解斜視図である。
【図１８】図１６の施錠装置の前面枠の解錠を示す作用説明図である。
【図１９】図１６の施錠装置の機構板の係合解除を示す作用説明図である。
【図２０】施錠装置の他の実施例を示す分解斜視図である。
【図２１】図２０の施錠装置のガラス扉枠の解錠を示す作用説明図である。
【図２２】図２０の施錠装置の機構板の係合解除を示す作用説明図である。
【図２３】（イ），（ロ）は施錠装置の他の実施例を示す作用説明図である。
【図２４】施錠装置の他の実施例を示す分解斜視図である。
【図２５】図２４の施錠装置のガラス扉枠の解錠を示す作用説明図である。
【図２６】図２４の施錠装置の前面枠の解錠を示す作用説明図である。
【図２７】図２４の施錠装置の機構板の係合解除を示す作用説明図である。
【図２８】施錠装置の他の実施例を示す要部正面図である。
【図２９】施錠装置側を示す要部斜視図である。
【図３０】図２９から機構板を外した状態の斜視図である。
【図３１】連結プレートの斜視図である。
【図３２】鉤状片との係合を示す連結プレートの要部断面図である。
【図３３】連結プレートの要部斜視図である。
【図３４】連結プレートの取付けを示す要部側断面図である。
【図３５】（イ），（ロ）は連結プレートの取付けを示す要部側断面図である。
【図３６】連結プレートの要部斜視図である。
【図３７】連結プレートの要部斜視図である。
【図３８】施錠装置の他の実施例を示す斜視図である。
【図３９】図３８の施錠装置の要部断面図である。
【図４０】施錠装置の基板の斜視図である。
【図４１】機構板のヒンジ具を示す要部正面図である。
【図４２】図４１の要部断面図である。
【図４３】機構板の施錠装置の他方側を示す要部斜視図である。
【符号の説明】
【００７８】
１                  機枠
２                  前面枠
４                  施錠装置
７                  ガラス扉枠
１２                受金具（係止部）
２０                スプリング（弾性部材）
４２                機構板
５４                鉤状片
５５                係合孔（係合部）
５６                頭付ピン（軸ピン）
６５                基板
６６                施錠杆
６７                作動杆
６８                シリンダ錠
６８ａ              錠軸
６９                カム板
７０                スプリング（弾性部材）
７０ａ，７０ｂ      スプリング（弾性部材）
７１                鉤片
７５                係止孔（係止部）
７６                鉤部
７６ａ              鉤部材
８２                ガイド長孔
８３                遊挿長孔
８３ａ，８３ｂ      長孔
８４ａ，８４ｂ      軸ピン
９０ａ，９０ｂ      スプリング（弾性部材）
９２                可動杆
９３ａ〜９３ｃ      長孔
９４ａ〜９４ｃ      軸ピン
９５ａ〜９５ｃ      スプリング（弾性部材）
【図１】
0004628664.tif 000002
【図２】
0004628664.tif 000003
【図３】
0004628664.tif 000004
【図４】
0004628664.tif 000005
【図５】
0004628664.tif 000006
【図６】
0004628664.tif 000007
【図７】
0004628664.tif 000008
【図８】
0004628664.tif 000009
【図９】
0004628664.tif 000010
【図１０】
0004628664.tif 000011
【図１１】
0004628664.tif 000012
【図１２】
0004628664.tif 000013
【図１３】
0004628664.tif 000014
【図１４】
0004628664.tif 000015
【図１５】
0004628664.tif 000016
【図１６】
0004628664.tif 000017
【図１７】
0004628664.tif 000018
【図１８】
0004628664.tif 000019
【図１９】
0004628664.tif 000020
【図２０】
0004628664.tif 000021
【図２１】
0004628664.tif 000022
【図２２】
0004628664.tif 000023
【図２３】
0004628664.tif 000024
【図２４】
0004628664.tif 000025
【図２５】
0004628664.tif 000026
【図２６】
0004628664.tif 000027
【図２７】
0004628664.tif 000028
【図２８】
0004628664.tif 000029
【図２９】
0004628664.tif 000030
【図３０】
0004628664.tif 000031
【図３１】
0004628664.tif 000032
【図３２】
0004628664.tif 000033
【図３３】
0004628664.tif 000034
【図３４】
0004628664.tif 000035
【図３５】
0004628664.tif 000036
【図３６】
0004628664.tif 000037
【図３７】
0004628664.tif 000038
【図３８】
0004628664.tif 000039
【図３９】
0004628664.tif 000040
【図４０】
0004628664.tif 000041
【図４１】
0004628664.tif 000042
【図４２】
0004628664.tif 000043
【図４３】
0004628664.tif 000044